(57)【要約】      （修正有）【課題】商品のイメージチェンジをする時には、ラベルの印刷をし直さなければならないが、商品の銘柄を変えることなく且つ印刷などをしなくても、イベントや季節等によって簡単に様変わりまたはイメージチェンジさせる。【解決手段】紙で形成されたラベル基材１と、該ラベル基材の裏面側に塗布された接着剤層２と、該接着剤層を被覆した剥離紙３とからなり、前記ラベル基材に商品名または銘柄などの表示すべき表示部分４を輪郭に沿って切り込み５を形成して分離できるように形成し、前記剥離紙と共に切り込みに沿った表示部分を分離除去してラベル基材を容器に貼着できる構成にしたことにより、従来の多色印刷したラベルとは異なってシンプルであり安価に製造でき、しかも、無地で着色したラベル基材と容器とのコントラストを着ける。【選択図】図１
0003124556.tif 000002
【実用新案登録請求の範囲】
【請求項１】
紙で形成されたラベル基材と、該ラベル基材の裏面側に塗布された接着剤層と、該接着剤層を被覆した剥離紙とからなり、
前記ラベル基材に商品名または銘柄などの表示すべき表示部分を輪郭に沿って切り込みを形成して分離できるように形成し、
前記剥離紙と共に切り込みに沿った表示部分を分離除去してラベル基材を容器に貼着できる構成にした
ことを特徴とするラベル。
【請求項２】
ラベル基材は、無地で所要の色に着色してある
ことを特徴とする請求項１に記載のラベル。
【請求項３】
ラベル基材は、所要の柄模様が施してある
ことを特徴とする請求項１に記載のラベル。
【考案の詳細な説明】
【技術分野】
【０００１】
本考案は、例えば、日本酒、果実酒、ビール、ウイスキーなどのアルコール飲料及びジュースまたはサイダーなどの清涼飲料が充填されるガラス瓶、またはペットボトルなどの容器に貼着して使用されるラベルに関するものである。
【背景技術】
【０００２】
従来、この種の容器に貼着するラベルに関しては、種々の構成のものが知られており、その一つを公知例１として挙げると、例えば、基紙の裏面にセラミック・アクリル酸系樹脂を含有するアンカー層、表面に印刷層を有する構成のものが知られており、耐油性、耐水性に優れ、瓶の擦り傷隠蔽用コーティング剤のラベルへの染み出しを防止することができるというものである（特許文献１）。
【０００３】
また、もう一つの公知例２としては、基材の裏面に、アルカリ性溶液と反応して溶解する物質を含有する感熱性接着剤を塗工してなるラベルであり、このラベルを貼った瓶などをアルカリ洗浄液で洗浄する際に、感熱性接着剤中の上記物質がアルカリ洗浄液中のアルカリと反応して溶解し、接着面積の低下による接着力の低下で瓶などからラベルを剥離させることができるものであり、アルカリ洗浄の際に同時にラベルを容易に剥がすことができるというものである（特許文献２）。
【０００４】
さらに、他の公知例３としては、飲料容器に貼着するラベル本体の裏面の貼着層を剥離紙で被覆してなるラベルにおいて、前記ラベル本体の表面上段にイベント表示欄を設け、中断にイベント結果表示欄を設け、下段に文章書き込み欄を設けて成る飲料容器用ラベルであり、容器入り引用は酒類、ジュース清涼飲料水におよび、対象イベントも多岐に渡って年間を通じて広範にあるのでこれに使用できるというものである（特許文献３）。
【０００５】
【特許文献１】特開２００５−３５２０１６号公報
【特許文献２】特開平８−５４８２９号公報
【特許文献３】実用新案登録第３０９９６５７号公報
【考案の開示】
【考案が解決しようとする課題】
【０００６】
前記公知例１に係るラベルは、アルカリ洗浄性及び接着性を損なうことなく、耐油性、耐水性を向上させるというものであって、ラベルをガラス瓶に貼着して使用した後に、ガラス瓶を再使用するためにアルカリ洗浄を行う際に、アルカリ洗浄液でラベルの剥離を容易にするというものであるが、あくまでもラベル自体は、紙を基材としたラベルの表面に商品名を含む意匠的な装飾とメーカー名等が多色印刷により表示されたもので、その印刷されたラベルは所要量をストックしておいて、使用時に適宜のラベル貼り機を用いて、ラベルの裏面側に設けたアンカー層に接着剤を塗布しながらガラス瓶に貼着する手段を採っているのであり、ラベル自体は年間を通じて或いは商品発売当初から変わり映えしないものとなっている。
【０００７】
また、前記公知技術２に係るラベルは、基材として片面アート紙を使用し、その表面にグラビア印刷及びニス塗工を行った後、感熱性接着剤に酸化亜鉛粉末を添加し充分に攪拌混合したものを、基材の裏面側に輪転式グラビア印刷機で塗工してラベルを形成するものであり、このように形成されたラベルは、熱風ブロアー式の感熱接着剤用のラベラーを用いてビール用のガラス瓶に貼り付けるというものであり、やはりラベル自体は年間を通じて或いは商品発売当初から変わり映えしないものとなっている。
【０００８】
さらに、前記公知技術３のラベルは、裏面側の貼着層を剥離紙で被覆したラベルであって、表面側のイベント表示欄、イベント結果表示欄及び文章書き込み欄を設けてあり、これら各欄は、印刷によって表示されることが基本的に最良であるが、その他に各表示欄毎に小サイズのラベルに必要な印刷したものを準備して、基本となるラベルのそれぞれの欄に貼ることができるというものであり、小サイズラベルを貼着する場合は、その都度表示を変えることができる点では前記公知技術１、２とは異なっている。
【０００９】
しかしながら、上記いずれの公知技術においても、ラベルの表示部はあくまでも印刷により表示される点では共通しており、特に、前記公知技術３のラベルは、表示部をイベントの結果に基づいて変えるという点では目新しい部分があるが、それでも、イベントの種類やイベント結果を文字で表示するために、それぞれ別の小サイズのラベルに別々に印刷してストックし、それぞれの欄に貼着しなければならないのであり、商品のイメージチェンジのためには新たなラベルの印刷と、余計な貼着との手数が掛かって高価になるという問題点を有している。
【００１０】
従って、前記従来技術に係るラベルにおいては、イメージチェンジをする時には、要するに、ラベルの印刷をし直さなければならないが、商品の銘柄を変えることなく且つ印刷などをしなくても、イベントや季節等によって簡単に様変わりまたはイメージチェンジさせることができるようにすることに解決課題を有している。
【課題を解決するための手段】
【００１１】
本考案は、紙で形成されたラベル基材と、該ラベル基材の裏面側に塗布された接着剤層と、該接着剤層を被覆した剥離紙とからなり、前記ラベル基材に商品名または銘柄などの表示すべき表示部分を輪郭に沿って切り込みを形成して分離できるように形成し、前記剥離紙と共に切り込みに沿った表示部分を分離除去してラベル基材を容器に貼着できる構成にしたことを特徴とするラベルを提供するものである。
【００１２】
また、本考案のラベルにおいて、ラベル基材は、無地で所要の色に着色してあること；及びラベル基材は、所要の柄模様が施してあることを、さらに付加的な要件として含むものである。
【考案の効果】
【００１３】
本考案に係るラベルは、要するに、裏面に剥離紙で覆われた接着剤層を有するラベル基材からなる貼着ラベルと称されるものを使用し、ラベル基材に表示すべき表示部分を分離除去できるように輪郭に沿って切り込みを形成したものであり、剥離紙と一緒に表示部分を分離除去してガラス瓶などの容器にラベル基材を貼着できるように構成したことによって、従来の多色印刷したラベルとは異なってシンプルであり安価に製造でき、しかも、無地で着色したラベル基材と容器とのコントラストを着けることによって、表示部分が鮮明に表出されるようになり、使用する容器についても、イベント毎または季節によってその色を変えても、それに対応してラベル基材の色を選択しさえすれば良いのであり、それによって同じブランド商品であっても、簡単に様変わりまたはイメージチェンジさせることができるという優れた効果を奏する。
【考案を実施するための最良の形態】
【００１４】
次に、本考案の実施の形態について図１〜図２を参照して説明する。図１は、本考案に係るラベルを示した平面図であり、一部を剥離した状態を示してある。本考案に係るラベルは、例えば、所要厚さの紙をラベル基材１とし、該ラベル基材１の裏面側に接着剤層２が設けられると共に、該接着剤層２を被覆する剥離紙３が貼着されている、所謂貼着ラベルと称されるものを用いるのである。
【００１５】
この場合に、ラベル基材１に剥離紙３を貼着した状態で、例えば、商品を表す商品名、銘柄（ブランド名）などの表示部分４を切り込み５によって形成するのである。そのブランド名が例えば「伝心」などの文字であれば、その文字の輪郭に沿った線状の切り込み５をラベル基材１にのみ刻設して形成し、剥離紙３には切り込みが形成されないようにするのである。
【００１６】
また、ラベル基材１は、種々の色の一色（白、黄色、青、赤、ピンク、黒、グリーン、紫など）に着色した無地の素材でも良いし、その他に、一面に種々の柄模様（花柄模様、杉綾模様、唐草模様、または家紋など）を施したものが適宜使用できる。そして、イベントによって、特に、必要があれば、無地の素材の余剰部分に文字や写真などもパソコンと簡易プリンタを使って簡単にプリントすることができる。
【００１７】
このように形成したラベルは、基本的にはガラス瓶に貼着して使用するものであり、そのガラス瓶として、例えば、図２に示したように、日本酒用の１８００ｍｌ入りのガラス瓶６に対して、剥離紙３と一緒に銘柄部分の表示部分４を輪郭の切り込み５に沿って剥がして分離し、ラベル基材１を貼着して取り付けるのである。また、切り込み５に沿って分離した表示部分４は、それ自体を趣の違った表示として別途使用することもできる。
【００１８】
この場合に、ガラス瓶６が、例えば、グリーンに着色してあると、ラベル基材１を白色の無地の素材を使用すれば、ガラス瓶６のグリーンとのコントラストによって、切り抜かれた銘柄などの表示部分４が白地にグリーンでスッキリと表示され、しかも、その表示部分４は印刷によって色付けされたグリーンと異なり、ガラス瓶自体の光沢のあるグリーンが表示部分４に表出して鮮やかで美しい表示となるのである。
【００１９】
また、ガラス瓶６が焦げ茶色に着色してある場合には、例えば、明るい花柄模様のラベル基材１を使用すれば、その花柄模様の中に焦げ茶色の銘柄部分に対応する表示部４がスッキリと表示されるのである。このようにガラス瓶との関係で、ラベル基材１の色または柄模様を適宜選択すれば良いのであり、ブランド名または銘柄などの表示部分４については、基本的に変更する必要がないのであり、あくまでも表示部分４の輪郭に沿った線状の切り込み５が形成されれば良いのである。
【００２０】
さらに、商品によっては、同じ銘柄またはブランドの日本酒であっても、例えば、本醸造、純米酒、純米吟醸、純米大吟醸などの種類があって、これを識別する場合に、ラベル基材１は統一した共通のものを使用し、それぞれガラス瓶の色を変えさえすれば、表示部分４に表出される色が、それぞれ異なったガラス瓶自体の光沢ある色に表出されるので、ラベルの表示部分４を一目するだけで種類分けができるのである。
【産業上の利用可能性】
【００２１】
いずれにしても本考案に係るラベルは、基本的には通常使用されているような銘柄や会社名などを印刷したラベルではなく、銘柄部分などの表示部を切り込みによって剥離紙と一緒に剥離分離できるように形成したものであり、使用されるガラス瓶または適宜の容器との関係でコントラストが鮮明に表出されるようにラベル基材の着色を選択すれば良いのであって、液体用の容器に限らず広い範囲の容器に対して利用が可能なのである。
【図面の簡単な説明】
【００２２】
【図１】本考案の具体的な実施例を示したラベルの平面図である。
【図２】同実施例のラベルをガラス瓶に貼着した状態を示す正面図である。
【符号の説明】
【００２３】
１  ラベル基材；    ２  接着剤層；    ３  剥離紙；    ４  表示部分；
５  切り込み；    ６  ガラス瓶。
【図１】
0003124556.tif 000003
【図２】
0003124556.tif 000004
【手続補正書】
【提出日】平成18年5月16日(2006.5.16)
【手続補正１】
【補正対象書類名】明細書
【補正対象項目名】全文
【補正方法】変更
【補正の内容】
【考案の詳細な説明】
【技術分野】
【０００１】
本考案は、例えば、日本酒、果実酒、ビール、ウイスキーなどのアルコール飲料及びジュースまたはサイダーなどの清涼飲料が充填されるガラス瓶、またはペットボトルなどの容器に貼着して使用されるラベルに関するものである。
【背景技術】
【０００２】
従来、この種の容器に貼着するラベルに関しては、種々の構成のものが知られており、その一つを公知例１として挙げると、例えば、基紙の裏面にセラミック・アクリル酸系樹脂を含有するアンカー層、表面に印刷層を有する構成のものが知られており、耐油性、耐水性に優れ、瓶の擦り傷隠蔽用コーティング剤のラベルへの染み出しを防止することができるというものである（特許文献１）。
【０００３】
また、もう一つの公知例２としては、基材の裏面に、アルカリ性溶液と反応して溶解する物質を含有する感熱性接着剤を塗工してなるラベルであり、このラベルを貼った瓶などをアルカリ洗浄液で洗浄する際に、感熱性接着剤中の上記物質がアルカリ洗浄液中のアルカリと反応して溶解し、接着面積の低下による接着力の低下で瓶などからラベルを剥離させることができるものであり、アルカリ洗浄の際に同時にラベルを容易に剥がすことができるというものである（特許文献２）。
【０００４】
さらに、他の公知例３としては、飲料容器に貼着するラベル本体の裏面の貼着層を剥離紙で被覆してなるラベルにおいて、前記ラベル本体の表面上段にイベント表示欄を設け、中断にイベント結果表示欄を設け、下段に文章書き込み欄を設けて成る飲料容器用ラベルであり、容器入り引用は酒類、ジュース清涼飲料水におよび、対象イベントも多岐に渡って年間を通じて広範にあるのでこれに使用できるというものである（特許文献３）。
【０００５】
【特許文献１】特開２００５−３５２０１６号公報
【特許文献２】特開平８−５４８２９号公報
【特許文献３】実用新案登録第３０９９６５７号公報
【考案の開示】
【考案が解決しようとする課題】
【０００６】
前記公知例１に係るラベルは、アルカリ洗浄性及び接着性を損なうことなく、耐油性、耐水性を向上させるというものであって、ラベルをガラス瓶に貼着して使用した後に、ガラス瓶を再使用するためにアルカリ洗浄を行う際に、アルカリ洗浄液でラベルの剥離を容易にするというものであるが、あくまでもラベル自体は、紙を基材としたラベルの表面に商品名を含む意匠的な装飾とメーカー名等が多色印刷により表示されたもので、その印刷されたラベルは所要量をストックしておいて、使用時に適宜のラベル貼り機を用いて、ラベルの裏面側に設けたアンカー層に接着剤を塗布しながらガラス瓶に貼着する手段を採っているのであり、ラベル自体は年間を通じて或いは商品発売当初から変わり映えしないものとなっている。
【０００７】
また、前記公知技術２に係るラベルは、基材として片面アート紙を使用し、その表面にグラビア印刷及びニス塗工を行った後、感熱性接着剤に酸化亜鉛粉末を添加し充分に攪拌混合したものを、基材の裏面側に輪転式グラビア印刷機で塗工してラベルを形成するものであり、このように形成されたラベルは、熱風ブロアー式の感熱接着剤用のラベラーを用いてビール用のガラス瓶に貼り付けるというものであり、やはりラベル自体は年間を通じて或いは商品発売当初から変わり映えしないものとなっている。
【０００８】
さらに、前記公知技術３のラベルは、裏面側の貼着層を剥離紙で被覆したラベルであって、表面側のイベント表示欄、イベント結果表示欄及び文章書き込み欄を設けてあり、これら各欄は、印刷によって表示されることが基本的に最良であるが、その他に各表示欄毎に小サイズのラベルに必要な印刷したものを準備して、基本となるラベルのそれぞれの欄に貼ることができるというものであり、小サイズラベルを貼着する場合は、その都度表示を変えることができる点では前記公知技術１、２とは異なっている。
【０００９】
しかしながら、上記いずれの公知技術においても、ラベルの表示部はあくまでも印刷により表示される点では共通しており、特に、前記公知技術３のラベルは、表示部をイベントの結果に基づいて変えるという点では目新しい部分があるが、それでも、イベントの種類やイベント結果を文字で表示するために、それぞれ別の小サイズのラベルに別々に印刷してストックし、それぞれの欄に貼着しなければならないのであり、商品のイメージチェンジのためには新たなラベルの印刷と、余計な貼着との手数が掛かって高価になるという問題点を有している。
【００１０】
従って、前記従来技術に係るラベルにおいては、イメージチェンジをする時には、要するに、ラベルの印刷をし直さなければならないが、商品の銘柄を変えることなく且つ印刷などをしなくても、イベントや季節等によって簡単に様変わりまたはイメージチェンジさせることができるようにすることに解決課題を有している。
【課題を解決するための手段】
【００１１】
本考案は、紙で形成されたラベル基材と、該ラベル基材の裏面側に塗布された接着剤層と、該接着剤層を被覆した剥離紙とからなり、前記ラベル基材に商品名または銘柄などの表示すべき表示部分を輪郭に沿って切り込みを形成して分離できるように形成し、前記剥離紙と共に切り込みに沿った表示部分を分離除去してラベル基材を容器に貼着できる構成にしたことを特徴とするラベルを提供するものである。
【００１２】
また、本考案のラベルにおいて、ラベル基材は、無地で所要の色に着色してあること；及びラベル基材は、所要の柄模様が施してあることを、さらに付加的な要件として含むものである。
【考案の効果】
【００１３】
本考案に係るラベルは、要するに、裏面に剥離紙で覆われた接着剤層を有するラベル基材からなる貼着ラベルと称されるものを使用し、ラベル基材に表示すべき表示部分を分離除去できるように輪郭に沿って切り込みを形成したものであり、剥離紙と一緒に表示部分を分離除去してガラス瓶などの容器にラベル基材を貼着できるように構成したことによって、従来の多色印刷したラベルとは異なってシンプルであり安価に製造でき、しかも、無地で着色したラベル基材と容器とのコントラストを着けることによって、表示部分が鮮明に表出されるようになり、使用する容器についても、イベント毎または季節によってその色を変えても、それに対応してラベル基材の色を選択しさえすれば良いのであり、それによって同じブランド商品であっても、簡単に様変わりまたはイメージチェンジさせることができるという優れた効果を奏する。
【考案を実施するための最良の形態】
【００１４】
次に、本考案の実施の形態について図１〜図２を参照して説明する。図１は、本考案に係るラベルを示した平面図であり、一部を剥離した状態を示してある。本考案に係るラベルは、例えば、所要厚さの紙をラベル基材１とし、該ラベル基材１の裏面側に接着剤層２が設けられると共に、該接着剤層２を被覆する剥離紙３が貼着されている、所謂貼着ラベルと称されるものを用いるのである。
【００１５】
この場合に、ラベル基材１に剥離紙３を貼着した状態で、例えば、商品を表す商品名、銘柄（ブランド名）などの表示部分４を切り込み５によって形成するのである。そのブランド名が例えば「伝心」（登録商標）などの文字であれば、その文字の輪郭に沿った線状の切り込み５をラベル基材１にのみ刻設して形成し、剥離紙３には切り込みが形成されないようにするのである。
【００１６】
また、ラベル基材１は、種々の色の一色（白、黄色、青、赤、ピンク、黒、グリーン、紫など）に着色した無地の素材でも良いし、その他に、一面に種々の柄模様（花柄模様、杉綾模様、唐草模様、または家紋など）を施したものが適宜使用できる。そして、イベントによって、特に、必要があれば、無地の素材の余剰部分に文字や写真などもパソコンと簡易プリンタを使って簡単にプリントすることができる。
【００１７】
このように形成したラベルは、基本的にはガラス瓶に貼着して使用するものであり、そのガラス瓶として、例えば、図２に示したように、日本酒用の１８００ｍｌ入りのガラス瓶６に対して、剥離紙３と一緒に銘柄部分の表示部分４を輪郭の切り込み５に沿って剥がして分離し、ラベル基材１を貼着して取り付けるのである。また、切り込み５に沿って分離した表示部分４は、それ自体を趣の違った表示として別途使用することもできる。
【００１８】
この場合に、ガラス瓶６が、例えば、グリーンに着色してあると、ラベル基材１を白色の無地の素材を使用すれば、ガラス瓶６のグリーンとのコントラストによって、切り抜かれた銘柄などの表示部分４が白地にグリーンでスッキリと表示され、しかも、その表示部分４は印刷によって色付けされたグリーンと異なり、ガラス瓶自体の光沢のあるグリーンが表示部分４に表出して鮮やかで美しい表示となるのである。
【００１９】
また、ガラス瓶６が焦げ茶色に着色してある場合には、例えば、明るい花柄模様のラベル基材１を使用すれば、その花柄模様の中に焦げ茶色の銘柄部分に対応する表示部４がスッキリと表示されるのである。このようにガラス瓶との関係で、ラベル基材１の色または柄模様を適宜選択すれば良いのであり、ブランド名または銘柄などの表示部分４については、基本的に変更する必要がないのであり、あくまでも表示部分４の輪郭に沿った線状の切り込み５が形成されれば良いのである。
【００２０】
さらに、商品によっては、同じ銘柄またはブランドの日本酒であっても、例えば、本醸造、純米酒、純米吟醸、純米大吟醸などの種類があって、これを識別する場合に、ラベル基材１は統一した共通のものを使用し、それぞれガラス瓶の色を変えさえすれば、表示部分４に表出される色が、それぞれ異なったガラス瓶自体の光沢ある色に表出されるので、ラベルの表示部分４を一目するだけで種類分けができるのである。
【産業上の利用可能性】
【００２１】
いずれにしても本考案に係るラベルは、基本的には通常使用されているような銘柄や会社名などを印刷したラベルではなく、銘柄部分などの表示部を切り込みによって剥離紙と一緒に剥離分離できるように形成したものであり、使用されるガラス瓶または適宜の容器との関係でコントラストが鮮明に表出されるようにラベル基材の着色を選択すれば良いのであって、液体用の容器に限らず広い範囲の容器に対して利用が可能なのである。
【図面の簡単な説明】
【００２２】
【図１】本考案の具体的な実施例を示したラベルの平面図である。
【図２】同実施例のラベルをガラス瓶に貼着した状態を示す正面図である。
【符号の説明】
【００２３】
１  ラベル基材；    ２  接着剤層；    ３  剥離紙；    ４  表示部分；
５  切り込み；    ６  ガラス瓶。
【手続補正書】
【提出日】平成18年6月20日(2006.6.20)
【手続補正１】
【補正対象書類名】明細書
【補正対象項目名】全文
【補正方法】変更
【補正の内容】
【考案の詳細な説明】
【技術分野】
【０００１】
本考案は、例えば、日本酒、果実酒、ビール、ウイスキーなどのアルコール飲料及びジュースまたはサイダーなどの清涼飲料が充填されるガラス瓶、またはペットボトルなどの容器に貼着して使用されるラベルに関するものである。
【背景技術】
【０００２】
従来、この種の容器に貼着するラベルに関しては、種々の構成のものが知られており、その一つを公知例１として挙げると、例えば、基紙の裏面にセラミック・アクリル酸系樹脂を含有するアンカー層、表面に印刷層を有する構成のものが知られており、耐油性、耐水性に優れ、瓶の擦り傷隠蔽用コーティング剤のラベルへの染み出しを防止することができるというものである（特許文献１）。
【０００３】
また、もう一つの公知例２としては、基材の裏面に、アルカリ性溶液と反応して溶解する物質を含有する感熱性接着剤を塗工してなるラベルであり、このラベルを貼った瓶などをアルカリ洗浄液で洗浄する際に、感熱性接着剤中の上記物質がアルカリ洗浄液中のアルカリと反応して溶解し、接着面積の低下による接着力の低下で瓶などからラベルを剥離させることができるものであり、アルカリ洗浄の際に同時にラベルを容易に剥がすことができるというものである（特許文献２）。
【０００４】
さらに、他の公知例３としては、飲料容器に貼着するラベル本体の裏面の貼着層を剥離紙で被覆してなるラベルにおいて、前記ラベル本体の表面上段にイベント表示欄を設け、中断にイベント結果表示欄を設け、下段に文章書き込み欄を設けて成る飲料容器用ラベルであり、容器入り引用は酒類、ジュース清涼飲料水におよび、対象イベントも多岐に渡って年間を通じて広範にあるのでこれに使用できるというものである（特許文献３）。
【０００５】
【特許文献１】特開２００５−３５２０１６号公報
【特許文献２】特開平８−５４８２９号公報
【特許文献３】実用新案登録第３０９９６５７号公報
【考案の開示】
【考案が解決しようとする課題】
【０００６】
前記公知例１に係るラベルは、アルカリ洗浄性及び接着性を損なうことなく、耐油性、耐水性を向上させるというものであって、ラベルをガラス瓶に貼着して使用した後に、ガラス瓶を再使用するためにアルカリ洗浄を行う際に、アルカリ洗浄液でラベルの剥離を容易にするというものであるが、あくまでもラベル自体は、紙を基材としたラベルの表面に商品名を含む意匠的な装飾とメーカー名等が多色印刷により表示されたもので、その印刷されたラベルは所要量をストックしておいて、使用時に適宜のラベル貼り機を用いて、ラベルの裏面側に設けたアンカー層に接着剤を塗布しながらガラス瓶に貼着する手段を採っているのであり、ラベル自体は年間を通じて或いは商品発売当初から変わり映えしないものとなっている。
【０００７】
また、前記公知技術２に係るラベルは、基材として片面アート紙を使用し、その表面にグラビア印刷及びニス塗工を行った後、感熱性接着剤に酸化亜鉛粉末を添加し充分に攪拌混合したものを、基材の裏面側に輪転式グラビア印刷機で塗工してラベルを形成するものであり、このように形成されたラベルは、熱風ブロアー式の感熱接着剤用のラベラーを用いてビール用のガラス瓶に貼り付けるというものであり、やはりラベル自体は年間を通じて或いは商品発売当初から変わり映えしないものとなっている。
【０００８】
さらに、前記公知技術３のラベルは、裏面側の貼着層を剥離紙で被覆したラベルであって、表面側のイベント表示欄、イベント結果表示欄及び文章書き込み欄を設けてあり、これら各欄は、印刷によって表示されることが基本的に最良であるが、その他に各表示欄毎に小サイズのラベルに必要な印刷したものを準備して、基本となるラベルのそれぞれの欄に貼ることができるというものであり、小サイズラベルを貼着する場合は、その都度表示を変えることができる点では前記公知技術１、２とは異なっている。
【０００９】
しかしながら、上記いずれの公知技術においても、ラベルの表示部はあくまでも印刷により表示される点では共通しており、特に、前記公知技術３のラベルは、表示部をイベントの結果に基づいて変えるという点では目新しい部分があるが、それでも、イベントの種類やイベント結果を文字で表示するために、それぞれ別の小サイズのラベルに別々に印刷してストックし、それぞれの欄に貼着しなければならないのであり、商品のイメージチェンジのためには新たなラベルの印刷と、余計な貼着との手数が掛かって高価になるという問題点を有している。
【００１０】
従って、前記従来技術に係るラベルにおいては、イメージチェンジをする時には、要するに、ラベルの印刷をし直さなければならないが、商品の銘柄を変えることなく且つ印刷などをしなくても、イベントや季節等によって簡単に様変わりまたはイメージチェンジさせることができるようにすることに解決課題を有している。
【課題を解決するための手段】
【００１１】
本考案は、紙で形成されたラベル基材と、該ラベル基材の裏面側に塗布された接着剤層と、該接着剤層を被覆した剥離紙とからなり、前記ラベル基材に商品名または銘柄などの表示すべき表示部分を輪郭に沿って切り込みを形成して分離できるように形成し、前記剥離紙と共に切り込みに沿った表示部分を分離除去してラベル基材を容器に貼着できる構成にしたことを特徴とするラベルを提供するものである。
【００１２】
また、本考案のラベルにおいて、ラベル基材は、無地で所要の色に着色してあること；及びラベル基材は、所要の柄模様が施してあることを、さらに付加的な要件として含むものである。
【考案の効果】
【００１３】
本考案に係るラベルは、要するに、裏面に剥離紙で覆われた接着剤層を有するラベル基材からなる貼着ラベルと称されるものを使用し、ラベル基材に表示すべき表示部分を分離除去できるように輪郭に沿って切り込みを形成したものであり、剥離紙と一緒に表示部分を分離除去してガラス瓶などの容器にラベル基材を貼着できるように構成したことによって、従来の多色印刷したラベルとは異なってシンプルであり安価に製造でき、しかも、無地で着色したラベル基材と容器とのコントラストを着けることによって、表示部分が鮮明に表出されるようになり、使用する容器についても、イベント毎または季節によってその色を変えても、それに対応してラベル基材の色を選択しさえすれば良いのであり、それによって同じブランド商品であっても、簡単に様変わりまたはイメージチェンジさせることができるという優れた効果を奏する。
【考案を実施するための最良の形態】
【００１４】
次に、本考案の実施の形態について図１〜図２を参照して説明する。図１は、本考案に係るラベルを示した平面図であり、一部を剥離した状態を示してある。本考案に係るラベルは、例えば、所要厚さの紙をラベル基材１とし、該ラベル基材１の裏面側に接着剤層２が設けられると共に、該接着剤層２を被覆する剥離紙３が貼着されている、所謂貼着ラベルと称されるものを用いるのである。
【００１５】
この場合に、ラベル基材１に剥離紙３を貼着した状態で、例えば、商品を表す商品名、銘柄（ブランド名）などの表示部分４を切り込み５によって形成するのである。その商品名が例えば「清酒」（通常はブランド名として商標名が入る）などの文字であれば、その文字の輪郭に沿った線状の切り込み５をラベル基材１にのみ刻設して形成し、剥離紙３には切り込みが形成されないようにするのである。
【００１６】
また、ラベル基材１は、種々の色の一色（白、黄色、青、赤、ピンク、黒、グリーン、紫など）に着色した無地の素材でも良いし、その他に、一面に種々の柄模様（花柄模様、杉綾模様、唐草模様、または家紋など）を施したものが適宜使用できる。そして、イベントによって、特に、必要があれば、無地の素材の余剰部分に文字や写真などもパソコンと簡易プリンタを使って簡単にプリントすることができる。
【００１７】
このように形成したラベルは、基本的にはガラス瓶に貼着して使用するものであり、そのガラス瓶として、例えば、図２に示したように、日本酒用の１８００ｍｌ入りのガラス瓶６に対して、剥離紙３と一緒に銘柄部分の表示部分４を輪郭の切り込み５に沿って剥がして分離し、ラベル基材１を貼着して取り付けるのである。また、切り込み５に沿って分離した表示部分４は、それ自体を趣の違った表示として別途使用することもできる。
【００１８】
この場合に、ガラス瓶６が、例えば、グリーンに着色してあると、ラベル基材１を白色の無地の素材を使用すれば、ガラス瓶６のグリーンとのコントラストによって、切り抜かれた銘柄などの表示部分４が白地にグリーンでスッキリと表示され、しかも、その表示部分４は印刷によって色付けされたグリーンと異なり、ガラス瓶自体の光沢のあるグリーンが表示部分４に表出して鮮やかで美しい表示となるのである。
【００１９】
また、ガラス瓶６が焦げ茶色に着色してある場合には、例えば、明るい花柄模様のラベル基材１を使用すれば、その花柄模様の中に焦げ茶色の銘柄部分に対応する表示部４がスッキリと表示されるのである。このようにガラス瓶との関係で、ラベル基材１の色または柄模様を適宜選択すれば良いのであり、ブランド名または銘柄などの表示部分４については、基本的に変更する必要がないのであり、あくまでも表示部分４の輪郭に沿った線状の切り込み５が形成されれば良いのである。
【００２０】
さらに、商品によっては、同じ銘柄またはブランドの日本酒であっても、例えば、本醸造、純米酒、純米吟醸、純米大吟醸などの種類があって、これを識別する場合に、ラベル基材１は統一した共通のものを使用し、それぞれガラス瓶の色を変えさえすれば、表示部分４に表出される色が、それぞれ異なったガラス瓶自体の光沢ある色に表出されるので、ラベルの表示部分４を一目するだけで種類分けができるのである。
【産業上の利用可能性】
【００２１】
いずれにしても本考案に係るラベルは、基本的には通常使用されているような銘柄や会社名などを印刷したラベルではなく、銘柄部分などの表示部を切り込みによって剥離紙と一緒に剥離分離できるように形成したものであり、使用されるガラス瓶または適宜の容器との関係でコントラストが鮮明に表出されるようにラベル基材の着色を選択すれば良いのであって、液体用の容器に限らず広い範囲の容器に対して利用が可能なのである。
【図面の簡単な説明】
【００２２】
【図１】本考案の具体的な実施例を示したラベルの平面図である。
【図２】同実施例のラベルをガラス瓶に貼着した状態を示す正面図である。
【符号の説明】
【００２３】
１  ラベル基材；    ２  接着剤層；    ３  剥離紙；    ４  表示部分；
５  切り込み；    ６  ガラス瓶。
【手続補正２】
【補正対象書類名】図面
【補正対象項目名】全図
【補正方法】変更
【補正の内容】
【図１】
0003124556.tif 000005
【図２】
0003124556.tif 000006